(57)【要約】本発明は、決められた量の記憶空間を有するメモリ装置（３）と、メモリ装置上へのデータの記録を開始するためにユーザにより用いられるインタフェース（２）とを有し、メモリ装置の記憶空間の選択部分が、緊急状況におけるデータの記録のために取っておかれ、インタフェースは、メモリ装置の選択部分へのデータの記録のための命令は、メモリ装置の残りの部分へのデータの記録の開始に用いられる手段とは別個の手段により行われるよう構成される情報記録装置（１）である。
2005538495.tif 000002
【特許請求の範囲】
【請求項１】
決められた量の記憶空間を有するメモリ装置と、
前記メモリ装置上へのデータの記録を開始するためにユーザにより用いられるインタフェースと、
を有する情報記録装置であって、
前記メモリ装置の前記記憶空間の選択部分は、緊急状況におけるデータの記録のために取っておかれ、
前記インタフェースは、前記メモリ装置の前記選択部分へのデータの記録のための命令は、前記メモリ装置の残りの部分へのデータの記録の開始に用いられる手段とは別個の手段により行われるよう構成される情報記録装置。
【請求項２】
前記情報記録装置は、デジタルビデオ記録装置である請求項１記載の情報記録装置。
【請求項３】
前記情報記録装置は、音楽プレーヤ／レコーダ、デジタルカメラ、携帯情報端末（ＰＤＡ）、パーソナルコンピュータ（ＰＣ）、又はデジタル電話機から選択される請求項１記載の情報記録装置。
【請求項４】
前記インタフェースは、遠隔制御ハンドセット、前記装置の本体に設けられる制御パネル、又は、前記記録装置の所望の動作を選択可能なオンスクリーンメニュディスプレイから選択される請求項１乃至３のうちいずれか一項記載の情報記録装置。
【請求項５】
前記メモリ装置の前記選択部分へのデータアイテムの記録を開始する手段は、緊急記録ボタンの形で具現化される請求項１乃至４のうちいずれか一項記載の情報記録装置。
【請求項６】
前記緊急記録ボタンは、スクリーンディスプレイ上に与えられるアイコンの形である請求項５記載の情報記録装置。
【請求項７】
前記選択部分に格納されるべきデータを符号化する符号化装置を更に有する請求項１乃至６のうちいずれか一項記載の情報記録装置。
【請求項８】
前記メモリ装置は、ＣＤ、ＤＶＤ、ミニディスク、デジタルテープ、又はハードディスクから構成される請求項１乃至７のうちいずれか一項記載の情報記録装置。
【請求項９】
前記装置は、前記メモリ装置における格納動作及び取出し動作を管理する制御部を有する請求項１乃至８のうちいずれか一項記載の情報記録装置。
【請求項１０】
前記制御部は、データの格納及び取出しを含む特定の動作を行うようプログラムされるマイクロプロセッサを有する請求項９記載の情報記録装置。
【請求項１１】
前記制御部は、前記装置のユーザと、記録されるべきデータの供給者又は前記メモリ装置の前記選択部分内の緊急メモリの供給者との間の金銭的取引を実行するよう構成される請求項９又は１０記載の情報記録装置。
【請求項１２】
請求項１乃至１１のうちいずれか一項記載の情報記録装置内に決められたデータアイテムを格納する方法であって、
前記決められたデータアイテムを格納するために必要な空間を決定する段階と、
前記メモリ装置の残りの部分における利用可能な空間を確認する段階と、
前記メモリ装置の残りの部分における利用可能な空間が、前記決められたデータアイテムを格納するために必要な空間より少ない場合、前記メモリ装置の選択部分を見つける段階と、
前記決められたデータアイテムを、前記決められたデータアイテムのソースからダウンロードする段階と、
前記選択部分上に前記決められたデータアイテムを記録する段階と、
を有する方法。
【請求項１３】
前記選択部分における利用可能な空間を確認する段階と、
前記選択部分における利用可能な空間が、前記決められたデータアイテムを記録するために必要な空間より少ない場合、前記データアイテムを格納するために必要な空間を供給するよう前記選択部分における予め記録されたデータを再編成する段階と、
を更に有する請求項１２記載の方法。
【請求項１４】
前記再編成する段階は、前記選択部分に格納された予め記録されたデータを圧縮する段階を有する請求項１３記載の方法。
【請求項１５】
前記再編成する段階は、予め記録されたデータを削除する又は予め記録されたデータに上書きする段階を有する請求項１３又は１４記載の方法。
【請求項１６】
前記決められたデータアイテムを暗号化する段階を更に有する請求項１２乃至１５のうちいずれか一項記載の方法。
【請求項１７】
前記装置のユーザによる料金の支払いの承認を受け取り、それに応答して、前記データアイテムを復号化する段階を更に有する請求項１６記載の方法。
【発明の詳細な説明】
【技術分野】
【０００１】
本発明は、メモリ内の記憶空間が制限されるデジタル記録装置上にデータを記録する方法に係る。その装置は、例えば、デジタルビデオ記録装置であり得る。
【背景技術】
【０００２】
ＧＢ２３６５１８０から、デジタル情報記録装置（例えば、カメラ）のメモリに時間に基づいて格納されたデータ記録の優先順位を決め、その優先順位格付けに応じて記録を圧縮し、それにより、新しい記録の格納のための十分な空間を供給することは公知である。
【０００３】
ＵＳ２００１／０００６４０３Ａ１から、テレビ受像装置のメモリに格納されたデータのファイリングを、最初にファイルの優先順位を決め、次に、記録されるべき新しいデータアイテムのための空間を作るようファイルを再編成することにより管理することが公知である。低い優先順位を有するファイルは、新しい記録のための空間を供給するために自動的に削除され得る。
【０００４】
このような構成は、一般的に、個々の記録の優先順位の決定及び記録の削除の認可を支援するためにユーザからの入力を必要とする。一部の状況において、そのような入力を供給することはユーザにとって不都合である又は不可能である場合があり、また、ユーザは、瞬間的にデータアイテムを記録することを希望する場合もある。このようなケースは、ユーザが、ライブアクションのＴＶ放送を記録するようビデオレコーダをセットし、放送の開始前に記録装置のメモリに空間を作る時間がない場合に発生し得る。或いは、ユーザは、タイマによって自分の記録装置をセットし、記録が開始するときには、ファイル再編成又は削除に関する入力を供給するためにいない場合がある。
【発明の開示】
【発明が解決しようとする課題】
【０００５】
本発明は、新しいファイルの記録の前に、メモリ内に既に格納されたファイルの削除又は再編成を必要としない緊急記録機能を提供することを目的とする。
【課題を解決するための手段】
【０００６】
第１の面では、本発明は、決められた量の記憶空間を有するメモリ装置と、メモリ装置上へのデータの記録を開始するためにユーザにより用いられるインタフェースとを有し、メモリ装置の記憶空間の選択部分は、緊急状況におけるデータの記録のために取っておかれ、インタフェースは、メモリ装置の選択部分へのデータの記録のための命令は、メモリ装置の残りの部分へのデータの記録の開始に用いられる手段とは別個の手段により行われるよう構成される情報記録装置を提供する。
【０００７】
情報記録装置は、任意選択的に、デジタルビデオ記録装置であり、また、原則的ではないが、例えば、一般的に、パーソナルビデオレコーダ（ＰＶＲ）と称される装置といったテレビジョン放送受信及び視聴装置の一部を形成し得る。本発明は、例えば、音楽プレーヤ／レコーダ、デジタルカメラ、携帯情報端末（ＰＤＡ）、パーソナルコンピュータ（ＰＣ）、又はデジタル電話機の他の情報記録装置にも同等に拡張可能であり得る。
【０００８】
インタフェースは、任意の従来の形であり得、例えば、以下に制限されないが、遠隔制御ハンドセット、装置の本体に設けられる制御パネル、又は記録装置の所望の動作をそこから選択可能なオンスクリーンメニュディスプレイであり得る。メモリ装置の選択部分へのデータアイテムの記録を開始する手段は、緊急記録ボタン（スクリーンディスプレイ上に与えられるアイコンでもあり得る）の形で具現化され得る。
【０００９】
装置のメモリ内に専用空間を取っておくことにより、ユーザは、メモリの残りの部分に既に格納された任意のデータを犠牲にすることなくデータアイテムを記録することが常に可能となる。この場合、ユーザは、メモリ装置の選択部分内に格納された任意のデータアイテムの長期間格納のための空間を供給するようメモリの残りの部分に格納されたデータを再編成／合理化する機会を有する。インタフェースは、選択部分に格納されたデータを、メモリ装置の残りの部分における利用可能な場所に転送することを開始する手段を更に与えることが好適である。
【００１０】
本発明の１つの商業的な実施例では、メモリ装置の選択部分に格納されたデータは、任意選択的に暗号化されるか、又は、例えば、装置（又は装置のメモリ装置）の供給者、又は、記録データの供給者によりアクセス不可にされ得る。復号化キー（又は、アクセス不可な記録データへのアクセスを可能にする他の手段）は、料金の支払い後に与えられ得る。
【００１１】
一般的に、メモリ装置の選択部分は、そこに十分な利用可能な記憶空間がない場合、前に記録されたデータは上書きされ、それにより、緊急状況における記録に指定された最新のデータが常に記録されるよう構成される。
【００１２】
メモリ装置は、任意の既知の形を取り得、例えば、ＣＤ、ＤＶＤ、ミニディスク、デジタルテープ、又はハードディスクである。メモリ装置は、装置自体内に含まれていても、又は、遠隔位置に設置されていてもよく、通信手段を含む装置が、メモリ装置へのデータの記録及びメモリ装置からの記録されたデータのダウンロードの開始を容易にする。
【００１３】
本発明の装置は、メモリ装置における格納及び取出し動作を管理する制御部を有することが好適である。制御部は、任意選択的に、データの格納及び取出しを含む特定の動作を行うようプログラムされるマイクロプロセッサを有する。制御部は更に、装置のユーザと、記録されるべきデータの供給者又はメモリ装置の選択部分における緊急メモリの供給者との間の金銭的取引を実行するよう構成され得る。
【００１４】
別の面では、本発明は、緊急命令に応答して、決められたデータアイテムを格納する方法を提供する。この方法は、
緊急状況時のデータアイテムの格納のために取っておかれるメモリ装置の選択部分を見つける段階と、
決められたデータアイテムを、決められたデータアイテムのソースからダウンロードする段階と、
選択部分上に決められたデータアイテムを記録する段階を有する。
【００１５】
任意選択的に、本発明の方法は更に、決められたデータアイテムを格納するために必要な空間を決定する段階と、選択部分における利用可能な空間を確認する段階と、選択部分における利用可能な空間が、決められたデータアイテムを記録するために必要な空間より少ない場合、データアイテムを格納するために必要な空間を供給するよう選択部分における予め記録されたデータを再編成する段階を有し得る。
【００１６】
任意選択的に、再編成する段階は、選択部分に格納された予め記録されたデータを圧縮する段階を有し得る。更に、又は、代替として、再編成する段階は、予め記録されたデータを削除する又は予め記録されたデータに上書きする段階を有し得る。
【００１７】
更なるオプションでは、本発明の方法は、決められたデータアイテムを暗号化する段階を有し得る。データアイテムが暗号化される場合、本発明の方法は、装置のユーザによる料金の支払いの承認を受取り、それに応答して、データアイテムを復号化する段階を更に有し得る。
【００１８】
代替として、本発明の方法は、決められたデータアイテムをダウンロードする段階の前に、ユーザによる料金の支払いの承認を受け取る段階を有し得る。
【００１９】
本発明の装置の制御部は、データアイテムを記録する命令をインテリジェントに取り扱うよう構成される。例えば、データを記録する命令が、メモリ装置の残りの部分へのデータの記録を開始するのに通常用いられる手段を介して与えられる場合、制御部は、適切な量の利用可能な空間を探し、十分な空間が見つからない場合、制御部は、その命令を、装置の選択部分にデータを記録する命令として解釈し、そして、上述した方法を実行するよう進める。
【００２０】
従って、本発明は、別の面では、決められた量の記憶空間を有するメモリ装置と、メモリ装置上へのデータの記録を開始するためにユーザにより用いられるインタフェースとを有し、メモリ装置の記憶空間の選択部分が、緊急状況におけるデータの記録のために取っておかれる情報記録装置に、決められたデータアイテムを格納する方法を提供し、この方法は、
決められたデータアイテムを格納するために必要な空間を決定する段階と、
メモリ装置の残りの部分における利用可能な空間を確認する段階と、
メモリ装置の残りの部分における利用可能な空間が、決められたデータアイテムを格納するために必要な空間より少ない場合、メモリ装置の選択部分を見つける段階と、
決められたデータアイテムを、決められたデータアイテムのソースからダウンロードする段階と、
選択部分上に決められたデータアイテムを記録する段階を有する。
【００２１】
任意選択的に、本発明の方法は更に、選択部分における利用可能な空間を確認する段階と、選択部分における利用可能な空間が、決められたデータアイテムを記録するために必要な空間より少ない場合、データアイテムを格納するために必要な空間を供給するよう選択部分における予め記録されたデータを再編成する段階を更に有し得る。
【００２２】
任意選択的に、再編成する段階は、選択部分に格納された予め記録されたデータを圧縮する段階を有し得る。更に、又は、代案として、再編成する段階は、予め記録されたデータを削除する又は予め記録されたデータに上書きする段階を有し得る。
【００２３】
更なるオプションでは、本発明の方法は、決められたデータを暗号化する段階を更に有し得る。データアイテムが暗号化される場合、本発明の方法は、装置のユーザによる料金の支払いの承認を受取り、それに応答して、データアイテムを復号化する段階も更に有し得る。
【発明を実施するための最良の形態】
【００２４】
例示目的のために、本発明の一部の実施例を、図面を参照しながら更に説明する。
【００２５】
図１から分るように、本発明の１つの実施例は、ＴｉＶＯ（商標）、ＲｅｐｌａｙＴＶ（商標）、又はオープンソースといったサービスを提供するために一般的に使用されるようなタイプのテレビジョンセットトップボックス１の形で提供する。セットトップボックス１は、制御部４と、メモリ記憶空間を供給するハードディスク３を有する。遠隔制御ハンドセット２の形のインタフェースが与えられ、このハンドセットから、制御部４に命令する信号が送信される。信号は、セットトップボックス１に設置され、制御部３と通信する受信器５により受信される。
【００２６】
遠隔制御ハンドセットは、主制御パネル６と、緊急記録機能を始動させるための別個に設置されるボタン７を有する。標準の記録機能は、主制御パネル６を介して行うことが可能である。
【００２７】
ハンドセット上の各ボタンには、制御部４への予めプログラムされた命令が関連付けられる。命令が受信されると、要求された動作が、制御部により行われる。図示する実施例では、ハンドセット２は、記録動作を行うよう制御部４を命令するボタンを２つ有する。１つは、ハンドセット２の主制御パネル６に設置され、もう１つは、緊急記録ボタン７である。これらのボタンのそれぞれに関連付けられるプログラムは、ハードディスク３の決められた領域だけにデータを記録するよう制御部に命令するよう構成される。ボタン７の場合、このハードディスクの決められた領域は、上述した選択された部分に対応する。更に、ボタン７に関連付けられるプログラムは、要求されたデータを格納するために選択された部分内に十分な空間がない場合は、その選択された部分に既に格納された予め記録されたデータを上書きする命令を有し得る。この特定の実施例では、記録されるべきデータは、セットトップボックス１により受信可能であり、要求に応じてハードディスク３にダウンロード可能なＴＶ放送である。
【００２８】
本発明の情報記録装置の制御部により行われる方法を、図２のフローチャートにまとめる。制御部により行われる段階は、破線の箱の中に概要を示す。
【００２９】
図面から分るように、緊急で記録をするよう命令を受信すると、制御部は、緊急記録用に取っておかれているメモリ装置内の空間の位置を見つける。記録されるべきデータを識別すると、制御部は、任意選択的に、そのデータを格納するために必要な空間を決定し、次に、要求されたデータを記録するのに十分な空間を見つけるべく緊急記録機能を検索する。十分な空間が見つからない場合、予め格納されたデータの再編成が行われる。それでも十分な空間が見つからない場合、制御部は、空間を作るよう予め記録されたデータを削除し始める。空間が一度利用可能となると、データはダウンロードされ格納される。
【００３０】
１つの単純な別の実施例では、データは、緊急格納機能時には、直ちにダウンロードされ、任意の予め記録されたデータに上書きされる。図示する実施例では、ダウンロードされたデータは、装置のユーザに知られていないコードで暗号化される。ユーザが、記録されたデータファイルにアクセスしようとするとき、制御部は、インタフェースを介してユーザに表示されるメッセージを生成し、口座からの支払いを引き落とす承認を要求する。承認が受信され、有効化（従来の手段を用いる）されると、データは、復号化され、ユーザによりアクセスされることが可能となる。更に、図示する特定の実施例では、制御部は、長期間格納のために装置の主メモリ内にデータをコピーするオプションを顧客に与えるメッセージを生成する。応答が肯定である場合、復号化されたファイルは、メモリ装置の主部にコピーされる。
【図面の簡単な説明】
【００３１】
【図１】本発明の装置の１つの実施例を示す図である。
【図２】本発明の方法の一例により行われる段階を示す図である。
【図１】
2005538495.tif 000003
【図２】
2005538495.tif 000004
【国際調査報告】
2005538495.tif 000005
2005538495.tif 000006
2005538495.tif 000007